(57)【要約】【課題】  本発明は、一人でも寝たきりの介助される人を、容易にベッドから移動させて入浴させることができる簡易浴槽を得るにある。【解決手段】  平坦状に潰すことができる防水シートで形成された浴槽と、この浴槽が着脱可能に取付けられた浴槽支持フレームと、この浴槽支持フレームをベッドに寝ている人の上部に配設することができる支持基台とで簡易浴槽を構成している。【選択図】  図１
2005040311.tif 000002
【特許請求の範囲】
【請求項１】
平坦状に潰すことができる防水シートで形成された浴槽と、この浴槽が着脱可能に取付けられた浴槽支持フレームと、この浴槽支持フレームをベッドに寝ている人の上部に配設することができる複数の車輪が取付けられた支持基台とからなることを特徴とする簡易浴槽。
【請求項２】
平坦状に潰すことができる防水シートで形成された浴槽と、この浴槽にベッドに寝ている人を載せるために、当該浴槽の一部あるいは全部が着脱可能に取付けられた浴槽支持フレームと、この浴槽支持フレームをベッドに寝ている人の上部に配設することができる支持基台とからなることを特徴とする簡易浴槽。
【請求項３】
浴槽には、底部が撓まないように板材が敷設されていることを特徴とする請求項１あるいは請求項２に記載の簡易浴槽。
【発明の詳細な説明】
【技術分野】
【０００１】
本発明は主に寝たきりの介助される人を入浴させる場合に使用する簡易浴槽に関する。
【背景技術】
【０００２】
従来の簡易浴槽は、略方形状に骨組みされるパイプ材の内方部に箱状の防水シート材が配設された構成になっている。
【０００３】
したがって、従来の簡易浴槽は、介助される人をベッド上から浴槽内に移動させなければならず、数人がかりでも重労働になるという欠点があった。また、入浴後、浴槽内から介助される人をベッドに移動させる作業は、さらに重労働になるという欠点があった。
【発明の開示】
【発明が解決しようとする課題】
【０００４】
本発明は以上のような従来の欠点に鑑み、一人でも寝たきりの介助される人を、容易にベッドから移動させて入浴させることができる簡易浴槽を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、平坦状に潰すことができる防水シートで形成された浴槽と、この浴槽が着脱可能に取付けられた浴槽支持フレームと、この浴槽支持フレームをベッドに寝ている人の上部に配設することができる複数の車輪が取付けられた支持基台とで簡易浴槽を構成している。
【発明の効果】
【０００７】
以下の説明から明らかなように、本発明にあっては次に列挙する効果が得られる。
【０００８】
（１）平坦状に潰すことができる防水シートで形成された浴槽と、この浴槽が着脱可能に取付けられた浴槽支持フレームと、この浴槽支持フレームをベッドに寝ている人の上部に配設することができる複数の車輪が取付けられた支持基台とで構成されているので、平坦状に潰した浴槽をベッド上に寝ている介助される人の背部に敷いた後、該浴槽を浴槽支持フレームに取付け、支持基台をベッドの側部方向等にスライド移動させることにより、ベッドの横等で介助される人を入浴させることができる。また、入浴後は逆の動作をすることで介助される人をベッド上に移動させることができる。
したがって、従来のような入浴に要する重労働を回避することができ、簡易に入浴させることができる。
【０００９】
（２）前記（１）によって、任意の場所にセッティングできるので、ベッドの置かれている場所に合わせて用いることができる。
【００１０】
（３）前記（１）によって、未使用時は、浴槽をひっくり返して乾燥させておくことができるので、カビの発生などを抑止することができる。したがって、衛生的に用いることができる。
【００１１】
（４）請求項２、３も前記（１）〜（３）と同様の効果が得られる。
【発明を実施するための最良の形態】
【００１２】
以下、図面に示す実施するための最良の形態により、本発明を詳細に説明する。
【００１３】
図１ないし図９に示す本発明の第１の実施するための最良の形態において、１は寝たきりの介助される人を簡易に入浴させることができる本発明の簡易浴槽で、この簡易浴槽１は、平坦状に潰すことができる防水シート２で形成された浴槽３と、この浴槽３が着脱可能に取付けられた浴槽支持フレーム４と、この浴槽支持フレーム４をベッドに寝ている人の上部に配設することができる支持基台５とで構成されている。
【００１４】
前記浴槽３は、図５に示すように、化学繊維等で形成されて撥水処理されたシート材によって略船形状となるように形成され、入浴者の上半身が若干上方に起きた状態で入浴できるように形成されている。底部３ａの後方側の部位には、排水口６が形成され、外部に排水するための排水ホース７に接続されている。貯水および排水の調節は排水栓８によって行う。
【００１５】
また、浴槽３の上端縁部には、後述する浴槽支持フレーム４に形成された複数のフック９に着脱可能に取付けることができるようにリング状の複数の取付け片１０が縫付等によって固定されている。さらに、底部３ａには入浴時に該底部３ａが撓まないように木材、プラスチック材等で形成された板材１１が取り外し可能に敷設され、この板材１１上に入浴者の下半身が載る。なお、浴槽３の上方先端部には、入浴者の頭部を載せることができる防水加工されたビニールクッション等で形成された枕１２の後端部が縫付等によって固定されている。
【００１６】
前記浴槽支持フレーム４は、金属パイプ材によって略長方形状に形成され、外周部に、前記浴槽３の複数の取付け片１０が取付けられる略Ｌ字状の複数のフック９が溶接等によって固定されている。このように形成された浴槽支持フレーム４の内方部に前記浴槽３が入れられ、複数のフック９にそれぞれ複数の取付け片１０を挿入して取付けて設置する。
【００１７】
前記支持基台５は、前記浴槽支持フレーム４と同じ金属パイプ材によって同一あるいは略同一形状に形成されたベース体１３と、このベース体１３および前記浴槽支持フレーム４間の一側両角部に、前記浴槽支持フレーム４と同じ金属パイプ材で一体成形されて立設された連結バー１４、１４と、後端部が前記ベース体１３の他側略中央部に、両側方向に若干スライド移動可能に遊挿された枢支ピン１５によって上下方向に回動可能に取付けられ、先端部が前記浴槽支持フレーム４の他側略中央部に形成された螺合孔１６に取付け孔１７を介してハンドル付きボルト１８で固定できるように形成された可動補強バー１９とで構成されている。
前記可動補強バー１９は、ベース体１３をベッド２０の下部に配置する場合には、下方に倒した状態にしてから、該ベース体１３に形成された収納用取付け孔２１にハンドル付きボルト１８を挿入して取付け、入浴する状態で用いる場合は、立設させて用いる。
【００１８】
また、前記支持基台５の下部には従来から用いられている４個の自在車輪２２、２２、２２、２２がボルト固定等によって着脱可能に取付けられている。なお、この４個の自在車輪２２、２２、２２、２２のうち、少なくとも２個については、ストッパー機能が付いたものを用いるとよい。また、本実施の形態では、自在車輪４を用いたものについて説明したが、本発明はこれに限らず、一方向のみ移動する車輪を用いて構成してもよい。
【００１９】
上記構成の簡易浴槽１は、先ず、図７に示すように、浴槽３を潰した状態で寝たきりの介助される人２３とベッド２０との間に敷く。この場合、板材１１が介助される人２３の略下半身の位置にくるように敷く。このような作業をしてから、図８に示すように、浴槽支持フレーム４が介助される人２３の上方にくるように支持基台５を移動させる。
【００２０】
次に、図８に示すように、浴槽３の複数の取付け片１０を浴槽支持フレーム４に形成された複数のフック９にそれぞれ取付ける。
このような作業をすることで、浴槽３は、浴槽支持フレーム４に吊り下げ状態となり、潰れた状態から容器状に復元される。
【００２１】
次に、図９に示すように、浴槽支持フレーム４や連結バー１４、１４等を持ちながらベッド２０の側部位等に移動させて、可動補強バー１９を立設させてハンドル付きボルト１８によって固定し、排水栓８によって栓がされていることを確認してから、浴槽３内にお湯等を入れて介助される人２３を洗う。
【００２２】
なお、この場合、ベッド２０については、例えば、上下方向に昇降調節可能な昇降調節機構を備えたもの（例えば、図７ないし図９における仮想線で示した箇所｛Ｘ｝に当該機構を備えたもの）を用いることによって、介助される人３をベッド２０から移動させる場合は、当該昇降調節機構によってベッド２０を昇降調節することで、浴槽３が完全に浴槽支持フレーム４に吊り下げられた状態にして移動させることができる。
【００２３】
次に、洗う作業が終わったら、排水栓８を抜いて排水し、再び栓をするとともに、ハンドル付きボルト１８を外して可動補強バー１９を倒した状態にしてから、支持基台５を浴槽支持フレーム４がベッド２１の上部にくるように移動させて、介助される人２３をベッド２０上に寝せる。この状態で浴槽３の複数の取付け片１０を外し、介助される人２３の体を拭く等する。この作業を終えた後に、浴槽３を介助される人２３から引き抜くように取り外す。この場合、介助される人２３を適宜左右に移動させて行う。
【００２４】
入浴作業が終わった後は、例えば、板材１１と浴槽３内を洗浄し、排水した後に、浴槽３を取り外して、さらに底部３ａの板材１１を取り外してから、浴槽３を底部３ａ等が外方に露出されるようにめくって、浴槽支持フレーム４等に一部掛ける等して干す。なお、この場合、適宜、タオル等で残余水分を拭き取りながら行う。これにより、効率よく浴槽３を乾燥させることできるので、カビ等の発生を効果的に抑止することができる。
{発明を実施するための異なる形態}
【００２５】
次に、図１０ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２６】
図１０ないし図１２に示す本発明を実施するための第２の形態において、前記本発明を実施するための最良の第１の形態と主に異なる点は、浴槽３にベッド２０に寝ている人（介助される人２３）を載せるために、浴槽支持フレーム４Ａの一側部に、複数の固定ビス２４によって浴槽３の一側部を固定的に取付け、他側部および両端部を着脱可能に取付けて構成した点で、このように形成された浴槽３および浴槽支持フレーム４Ａを構成した簡易浴槽１Ａにしても前記本発明を実施するための最良の第１の形態と同様の作用効果が得られる。
【００２７】
図１３ないし図１５に示す本発明を実施するための第３の形態において、前記本発明を実施するための最良の第１の形態と主に異なる点は、車輪を取付けない支持基台５Ａを用いた点で、このように構成された支持基台５Ａを用いた簡易浴槽１Ｂにしてもよい。なお、本形態においては、例えば、介助される人２３を浴槽３内に載せた状態で支持基台５Ａを移動させずに、ベッド２０上で入浴させる。
【００２８】
図１６ないし図１８に示す本発明を実施するための第４の形態において、前記本発明を実施するための最良の第１の形態と主に異なる点は、浴槽支持フレーム４と連結バー１４、１４との間に、前記浴槽支持フレーム４を上下方向に回動可能にするヒンジ機構を用いた回動手段２５、２５を介装させた点で、この回動手段２５を用いて構成した簡易浴槽１Ｃにしても前記本発明を実施するための最良の第１の形態と同様の作用効果が得られる。また、前記浴槽支持フレーム４をベッド２０上に配設する際には、該浴槽支持フレーム４を上方に一旦回動させた状態で移動させることができるので、介助される人２３が大きい場合であっても、上方から該浴槽支持フレーム４を被せるように配設することができるので、効率よく設置作業を行うことができる。
【００２９】
図１９ないし図２１に示す本発明を実施するための第５の形態において、前記本発明を実施するための最良の第１の形態と主に異なる点は、底面の左右方向にビニール製の複数本のエアーチューブ２６が形成された浴槽３Ａを用いた点で、このような浴槽３Ａを用いた簡易浴槽１Ｄにしても前記本発明を実施するための最良の第１の形態と同様の作用効果が得られるとともに、浴槽３Ａの底部３ａに板材１１を用いなくても、該底部３ａが極端に撓んでしまう不具合を回避することができる。
【００３０】
なお、本発明を実施するための各実施の形態において、浴槽支持フレーム４および支持基台５は金属パイプ材で形成したものについて説明したが、本発明はこれに限らず、例えば、カーボンファイバー等を用いて強度性を持たせたバー材等で構成してもよい。
【００３１】
また、本発明を実施するための各実施の形態において、可動補強バー１９は、浴槽支持フレーム４およびベース体１３の他側略中央部を補強するように構成したものについて説明したが、本発明はこれに限らず、浴槽支持フレーム４およびベース体１３の両端部を補強するように構成してもよい。
【００３２】
さらに、前記支持基台５の連結バー１４、１４および可動補強バー１９にあっては、上下に高さ調節できるように、例えば、所定位置でハンドル付きボルトによって固定状態にすることができる伸縮パイプ等で構成してもよい。
【００３３】
また、本発明を実施するための各実施の形態において、浴槽３と浴槽支持フレーム４との取付けは、複数のフック９とリング状の取付け片１０とで行うものについて説明したが、本発明はこれに限らず、例えば、複数のフック９を構成しない浴槽支持フレームに、先端部にスナップホック等の固定手段を取付けたバンド状の取付け片を巻きつけて浴槽を固定するように構成してもよい。
【産業上の利用可能性】
【００３４】
本発明は簡易浴槽を製造する産業で利用される。
【図面の簡単な説明】
【００３５】
【図１】本発明を実施するための最良の第１の形態の正面図。
【図２】本発明を実施するための最良の第１の形態の平面図。
【図３】本発明を実施するための最良の第１の形態の側面図。
【図４】図１の４−４線に沿う拡大断面図。
【図５】本発明を実施するための最良の第１の形態の浴槽の説明図。
【図６】本発明を実施するための最良の第１の形態の浴槽支持フレームおよび支持基台の説明図。
【図７】介助される人に浴槽を敷設した状態の説明図。
【図８】浴槽支持フレームに浴槽を取付けた状態の説明図。
【図９】使用状態の説明図。
【図１０】本発明を実施するための最良の第２の形態の正面図。
【図１１】本発明を実施するための最良の第２の形態の平面図。
【図１２】図１０の１２−１２線に沿う拡大断面図。
【図１３】本発明を実施するための最良の第３の形態の正面図。
【図１４】本発明を実施するための最良の第３の形態の平面図。
【図１５】本発明を実施するための最良の第３の形態の側面図。
【図１６】本発明を実施するための最良の第４の形態の側面図。
【図１７】本発明を実施するための最良の第４の形態の平面図。
【図１８】本発明を実施するための最良の第４の形態の背面図。
【図１９】本発明を実施するための最良の第５の形態の正面図。
【図２０】本発明を実施するための最良の第５の形態の平面図。
【図２１】本発明を実施するための最良の第５の形態の側面図。
【符号の説明】
【００３６】
１、１Ａ〜１Ｄ：簡易浴槽、  ２：防水シート、
３、３Ａ：浴槽、            ４、４Ａ：浴槽支持フレーム、
５、５Ａ：支持基台、        ６：排水口、
７：排水ホース、            ９：排水栓、
９：複数のフック、          １０：複数の取付け片、
１１：板材、                １２：枕、
１３：ベース体、            １４：連結バー、
１５：枢支ピン、            １６：螺合孔、
１７：取付け孔、            １８：ハンドル付きボルト、
１９：可動補強バー、        ２０：ベッド、
２１：収納用取付け孔、      ２２：自在車輪、
２３：介助される人、        ２４：複数の固定ビス、
２５：回動機構、            ２６：複数本のエアーチューブ。
【図１】
2005040311.tif 000003
【図２】
2005040311.tif 000004
【図３】
2005040311.tif 000005
【図４】
2005040311.tif 000006
【図５】
2005040311.tif 000007
【図６】
2005040311.tif 000008
【図７】
2005040311.tif 000009
【図８】
2005040311.tif 000010
【図９】
2005040311.tif 000011
【図１０】
2005040311.tif 000012
【図１１】
2005040311.tif 000013
【図１２】
2005040311.tif 000014
【図１３】
2005040311.tif 000015
【図１４】
2005040311.tif 000016
【図１５】
2005040311.tif 000017
【図１６】
2005040311.tif 000018
【図１７】
2005040311.tif 000019
【図１８】
2005040311.tif 000020
【図１９】
2005040311.tif 000021
【図２０】
2005040311.tif 000022
【図２１】
2005040311.tif 000023